(57)【要約】【課題】照明との組合わせによって展示機能を高めることができる展示台を提供する。【解決手段】光源１を収容した基台２を備え、基台２の表側に透光性を有する基板３を備えると共に、基板３の表側に滑り止め４を備えた展示台Ａ１とし、基台２の基板３上に載置した物品に対して下側から照明をすることで、物品を際立たせて展示することができると同時に、滑り止め４により、物品を所定の位置に所定の姿勢で保持する。【選択図】  図１
2006034839.tif 000002
【特許請求の範囲】
【請求項１】
光源を収容した基台を備え、基台の表側に透光性を有する基板を備えると共に、基板の表側に滑り止めを備えたことを特徴とする展示台。
【請求項２】
滑り止めが、透光性を有するシート状の部材から成ることを特徴とする請求項１に記載の展示台。
【請求項３】
基台を傾斜した状態に保持する保持手段を備えたことを特徴とする請求項１又は２に記載の展示台。
【請求項４】
保持手段が、基台側に設けた取付け具と、取付け具に対して角度調整可能に連結する支持脚を備えると共に、互いに任意の回動位置で軸線方向に係脱自在なセレーション軸とセレーション穴を含み、セレーション軸及びセレーション穴のいずれか一方を取付け具に設けると共に、他方を支持脚に設けたことを特徴とする請求項３に記載の展示台。
【請求項５】
基板が、第１及び第２の板部材を備えた二重構造であることを特徴とする請求項１〜４のいずれかに記載の展示台。
【発明の詳細な説明】
【技術分野】
【０００１】
本発明は、例えば商品や広告等の物品を展示するのに用いられる展示台に関するものである。
【背景技術】
【０００２】
近年、商品やサービスの宣伝・広告を省スペースで行うことができ、消費者の購買意欲を喚起するためのものとして、いわゆるＰＯＰ用品が種々開発されており、その中の一つに、例えば商品や広告等の物品を展示するための展示台がある。
【発明の開示】
【発明が解決しようとする課題】
【０００３】
ところで、従来の展示台にあっても、様々なものが実用化されているが、広告類の表示は極めて多種多様であることから、この種の装置に対する要望が留まることはなく、展示機能を高めるうえでのさらなる開発が求められている。
【０００４】
そこで、本発明は、上記従来の状況に鑑みて成されたもので、照明との組合わせによって展示機能を高めることができる展示台を提供することを目的としている。
【課題を解決するための手段】
【０００５】
本発明に係わる展示台は、請求項１として、光源を収容した基台を備え、基台の表側に透光性を有する基板を備えると共に、基板の表側に滑り止めを備えた構成とし、請求項２として、滑り止めが、透光性を有するシート状の部材から成る構成とし、請求項３として、基台を傾斜した状態に保持する保持手段を備えた構成とし、請求項４として、保持手段が、基台側に設けた取付け具と、取付け具に対して角度調整可能に連結する支持脚を備えると共に、互いに任意の回動位置で軸線方向に係脱自在なセレーション軸とセレーション穴を含み、セレーション軸及びセレーション穴のいずれか一方を取付け具に設けると共に、他方を支持脚に設けた構成とし、請求項５として、基板が、第１及び第２の板部材を備えた二重構造である構成としており、上記の構成をもって従来の課題を解決するための手段としている。
【発明の効果】
【０００６】
本発明の請求項１に係わる展示台によれば、基台の基板上に載置した商品や広告等の物品に対して下側から照明をすることにより、物品を際立たせて展示することができる。また、滑り止めにより、物品を所定の位置に所定の姿勢で保持し得るので、例えば基台を斜めにした状態で物品を展示することも可能となり、ＰＯＰ用品としての展示機能を大幅に高めることができる。
【０００７】
本発明の請求項２に係わる展示台によれば、請求項１と同様の効果を得ることができるうえに、照明を妨げることなく基板の全面に滑り止めを設けることができ、また、基板に対して滑り止めを簡単に着脱することができるので、滑り止めの交換や基板の清掃などに対処することが容易である。
【０００８】
本発明の請求項３に係わる展示台によれば、請求項１及び２と同様の効果を得ることができるうえに、保持手段で基台を傾斜した状態に保持することにより、物品を傾斜した姿勢にして見やすい状態に展示することができる。
【０００９】
本発明の請求項４に係わる展示台によれば、請求項３と同様の効果を得ることができるうえに、取付け具と角度調整可能な支持脚を備え且つセレーション軸とセレーション穴を含む保持手段を採用したことにより、基台の傾斜角度を多段階的に調整して物品の姿勢を任意に設定することができ、これにより展示機能を一層高めることができる。
【００１０】
本発明の請求項５に係わる展示台によれば、請求項１〜４と同様の効果を得ることができるうえに、第１及び第２の板部材を備えた二重構造の基板を採用したことにより、両部材の間に適当なシートを挟み込んで物品の展示機能を一層高めることができる。例えば、彩色や模様を施したフィルムを両部材の間に挟み込むことで照明に変化を与えたり、物品と関連する写真やシート状の広告を両部材の間に挟み込んだりすることで、展示機能を一層高めることができる。
【実施例】
【００１１】
図１は本発明に係わる展示台の一実施例を説明する図である。
図示の展示台Ａ１は、光源１を収容した矩形状の基台２を備え、基台２の表側に透光性を有する基板３を備えると共に、基板３の表側に滑り止め４を備えている。この実施例の光源１は、細長い冷陰極管であって、矩形状の基台２の内部において片側又は両側の辺に沿って収容してある。
【００１２】
基台２は、例えばプラスチック製であって、裏板５と、裏板５の三辺に沿う枠部６を有すると共に、枠部６の内周側に基板３の保持溝７が形成してあり、基板３と裏板５の間に光源１を収容する。また、基台２は、残る一辺に、枠部６とともに当該基台２の外周部を形成するキャップ８が着脱可能に設けてあり、このキャップ８を取り外すと、図中に仮想線で示すように、基板３をスライドさせる要領で着脱することができる。
【００１３】
基板３は、例えばプラスチック製であって、内側の第１板部材３Ａと、外側の第２板部材３Ｂを備えた二重構造になっており、第１及び第２の板部材３Ａ，３Ｂの間に、フィルムや写真等のシート材を挟み込むことができる。このとき、基板３は、シート材の挟み込みを考慮して、少なくとも外側の第２板部材３Ｂを透明なものとし、内側の第２板部材３Ａを曇り硝子の如き半透明なものとしている。なお、第２板部材３Ａは、透明なものでも良いが、シート材の無い状態で使用することも当然あり得るので、半透明なものにして光源１等が外部から見えないようにすることが望ましい。
【００１４】
滑り止め４は、透光性を有するシート状の部材から成るものであって、この実施例では透明なものであり、基板３の表側（第２板部材３Ｂの表側）に対して全面に貼り付けてある。また、滑り止め４は、粘着性を有しており、その粘着性が物品の保持機能をより高める働きをすると共に、接着剤等の手段を何ら用いずに基板３に貼り付けることができ、なお且つ剥がすこともできる。したがって、滑り止め４の交換や基板３の清掃などに対処することが容易である。
【００１５】
上記の滑り止め４は、その材料がとくに限定されるものではないが、透光性や粘着性などの特性を有するものとして、例えばアクリル系熱可塑性エラストマーを用いることができ、その他に合成ゴムや天然ゴムを用いることも可能である。
【００１６】
また、この実施例の展示台Ａ１は、基台２の四隅に固定式の支持脚９を備えると共に、光源１に対して、途中にスイッチ１０を設けた電源コード１１が接続してある。
【００１７】
上記構成を備えた展示台Ａ１は、図中に仮想線で示すように、基板３上に商品や広告等の物品Ｂを載置し、この際、光源１により物品Ｂの下側から照明をする。これにより、物品Ｂを際立たせて展示することができると同時に、滑り止め４によって物品Ｂを所定の位置に所定の姿勢で保持することができる。
【００１８】
また、展示台Ａ１は、透光性を有するシート状の部材から成る滑り止め４を採用したことにより、照明を妨げることなく基板３の全面に滑り止めを設けることができ、しかも、第１及び第２の板部材３Ａ，３Ｂを備えた二重構造の基板３を採用しているので、彩色や模様を施したフィルムを両部材３Ａ，３Ｂの間に挟み込んだり、物品Ｂと関連する写真やシート状の広告を両部材３Ａ，３Ｂの間に挟み込んだりすることで、より一層興味深いものとなり、ＰＯＰ用品としての展示機能を大幅に高めることができる。
【００１９】
図２及び図３は、本発明に係わる展示台の他の実施例を説明する図である。
図２に示す展示台Ａ２は、光源１、基台２、基板３及び滑り止め４の構成については先の実施例とほぼ同様であって、これに加えて、基台２を傾斜した状態に保持する保持手段を備えている。
【００２０】
保持手段は、図３にも示すように、基台２側に設けた取付け具１２と、取付け具１２に対して角度調整可能に連結する支持脚１３を備えると共に、互いに任意の回動位置で軸線方向に係脱自在なセレーション軸１４とセレーション穴１５を含むものであって、この実施例では、セレーション軸１４を取付け具１２に設けると共に、セレーション穴１５を支持脚１３に設けている。
【００２１】
保持手段を構成する取付け具１２は、図３（ａ）に示すように、一方の連結軸１６を有する一方の取付け部材１７と、他方の連結軸１８を有する他方の取付け部材１９を備えている。一方の連結軸１６は、その先端側（図３において右側）に、当該連結軸１６よりも小径で且つ中空状のセレーション軸１４を連続して有している。他方の連結軸１８は、セレーション軸１４よりも小径であると共に、その先端側（図３において左側）に、セレーション軸１４の内側に嵌合する小径部２１を連続して有している。また、保持手段を構成する支持脚１３は、この実施例では湾曲した板状を成しており、上端部の中央に、内側を先述のセレーション穴１５とした円筒状の連結部２２が設けてある。
【００２２】
上記の保持手段は、支持脚１３のセレーション穴１５に他方の連結軸１８を通した状態にして、一方の連結軸１６のセレーション軸１４の内側に他方の連結軸１８の小径部２１を嵌合し、この作業に前後して、両取付け部材１７，１９を基台２の背面に固定する。
【００２３】
そして、保持手段は、図３（ｂ）に示すように、支持脚１３を他方の取付け部材１９側（図３において右側）にずらせると、セレーション軸１４とセレーション穴１５との係合が解除され、支持脚１３が回動自在となる。また、任意の回動位置において、図３（ｃ）に示すように、支持脚１３を一方の取付け部材１７側にずらせると、セレーション軸１４とセレーション穴１５とが係合し、支持脚１３をその回動角度で維持する。
【００２４】
上記の保持手段を備えた展示台Ａ２は、保持手段で基台２を傾斜した状態にして、物品Ｂを傾斜した姿勢にして見やすい状態に展示することができ、この際、先の実施例と同様に、光源１により物品Ｂの下側（背後側）から照明をすることで、物品Ｂを際立たせて展示することができると同時に、滑り止め４によって物品Ｂを所定の位置に所定の姿勢で保持することができる。
【００２５】
また、展示台Ａ２は、取付け具１２と角度調整可能な支持脚１３を備え且つセレーション軸１４とセレーション穴１５を含む保持手段を採用したことにより、基台２の傾斜角度を多段階的に調整して物品Ｂの姿勢を任意に設定し得る。さらに、この実施例の展示台Ａ２は、先の実施例と同様に第１及び第２の板部材３Ａ，３Ｂから成る二重構造の基板３を用いているので、物品Ｂの展示だけに限らず、写真立てなどに用いることもできる。
【００２６】
なお、本発明に係わる展示台は、その詳細な構成が上記各実施例に限定されるものではなく、本発明の要旨を逸脱しない範囲で具体的な構成を適宜変更することが可能である。例えば、光源は、冷陰極管のほかに発光ダイオードなどを用いることができ、色彩が異なる複数の光源を用いて手動又は自動で照明の色を変化させるようにしても良い。また、滑り止めは、シート状の部材のほかに、点状あるいは線状のものを用いることができ、基板に一体成形することも可能である。
【図面の簡単な説明】
【００２７】
【図１】本発明に係わる展示台の一実施例を説明する斜視図である。
【図２】本発明に係わる展示台の他の実施例を説明する斜視図である。
【図３】図２に示す展示台の保持手段を説明する斜視図（ａ）、セレーション軸とセレーション穴との係合を解除した状態を示す要部の斜視図（ｂ）、及びセレーション軸とセレーション穴とを係合した状態を示す要部の斜視図（ｃ）である。
【符号の説明】
【００２８】
Ａ１  展示台
Ａ２  展示台
１    光源
２    基台
３    基板
３Ａ  第１板部材
３Ｂ  第２板部材
４    滑り止め
１２  取付け具（保持手段）
１３  支持脚（保持手段）
１４  セレーション軸
１５  セレーション穴
【図１】
2006034839.tif 000003
【図２】
2006034839.tif 000004
【図３】
2006034839.tif 000005